(57)【要約】【課題】衣料品に縫着されている、当該衣料品の品番，材質，価格等が記載されている下げ札を、取り外そうとする際に、該下げ札を固定している縫糸を取り除くばかりでなく衣料品に傷付けるような事態の発生するのを防止するる。【解決手段】衣料品への下げ札取付方法であって、表面に下げ札を取り付けてなる衣料品において、下げ札を衣料品に取り付ける際に、水溶性繊維糸を用いて、下げ札を衣料品に縫着する。また、縫着は本縫い系又は環縫い系のいずれかで行う。また、運針数を３cm間で１２〜２０針とした。そして、水溶性繊維糸は、ポリビニルアルコール系，カルボキシメチルセルロース等のセルロース系，ポリアルキレンオキサイド系水溶性繊維からなる。【選択図】図１
2011237500.tif 000002
【特許請求の範囲】
【請求項１】
表面に下げ札を取り付けてなる衣料品において、下げ札を衣料品に取り付ける際に、水溶性繊維糸を用いて、下げ札を衣料品に縫着することを特徴とする衣料品への下げ札取付方法。
【請求項２】
縫着は本縫い系又は環縫い系のいずれかで行うことを特徴とする請求項１記載の下げ札取付方法。
【請求項３】
運針数を３cm間で１２〜２０針としたことを特徴とする請求項１記載の下げ札取付方法。
【請求項４】
水溶性繊維糸は、ポリビニルアルコール系，カルボキシメチルセルロース等のセルロース系，ポリアルキレンオキサイド系水溶性繊維からなるものであること特徴とする請求項１記載の下げ札取付方法。 
【発明の詳細な説明】
【技術分野】
【０００１】
本発明は、商品の名称，品番，素材，取扱い方法，産地，社名，価格等を記載したタグ，ラベル等の下げ札を、衣料品に取り付ける取付方法に関するものである。
【背景技術】
【０００２】
衣料品などには販売時にタグ，ラベル等の下げ札を取り付けて、その商品に関する情報を示しているが、これら下げ札は、商品が使用者の手に渡った後は取り除かれるのが一般である。
【０００３】
然し、これらの下げ札は、通常多くは衣料品の前身頃或は後身頃の表面上部、即ち、ショーツであればウエスト部あたりに縫い付けられているが、使用に際しては下げ札を取り除くことになり、下げ札を縫い付けた糸を外すときに誤って商品を傷つけるような事態が発生した。これを防止するために、縫着個所の糸を抜き易くした衣類が開発された。
【０００４】
即ち、衣類の表面側にラベルが縫い付けられているラベル取付構造であって、ラベルの表面側に露出する上糸と、衣類の裏面側に露出する下糸とからなる縫糸で本縫いで縫着され、縫い始め位置と縫い終わり位置とはラベルの左右両端より所定寸法離れた位置とされ、縫い終わり位置に連続する後方位置或は縫い始め位置へと連続する前後位置には、０．３cm以上０．２cm以下の長さで上糸或は下糸からなる縫着されていない抜取用糸として縫い始め又は縫い終わり位置とラベルとの間の糸をラベル側方に延在させ、抜取用糸を引張って抜取ることでラベルと衣料の固定が解かれラベルが衣類より取り外される構成としている（特許文献１）。
【０００５】
また,下げ札を衣料に縫着している糸の縫い方向が衣料の伸び方向と直交しているため、試着の際に糸が切れて下げ札が脱落するのを防止した下げ札取付手段が知られている（特許文献２）が、この手段も下げ札を縫い付けている糸を外すときは衣類を傷つける恐れがあった。
【先行技術文献】
【特許文献】
【０００６】
【特許文献１】特開２００７−１５５９２２号公報
【特許文献２】特開２０１０−５３４９９号公報
【発明の概要】
【発明が解決しようとする課題】
【０００７】
本発明は上記の点に鑑みて、衣料品に縫着されている、当該衣料品の品番，材質，価格等が記載されている下げ札を、取り外そうとする際に、該下げ札を固定している縫糸を取り除くばかりでなく衣料品に傷付けるような事態の発生するのを防止することを目的としている。
【課題を解決するための手段】
【０００８】
請求項１記載の発明は、衣料品への下げ札取付方法であって、表面に下げ札を取り付けてなる衣料品において、下げ札を衣料品に取り付ける際に、水溶性繊維糸を用いて、下げ札を衣料品に縫着することを特徴とする。
請求項２記載の発明は、請求項１記載の下げ札取付方法であって、縫着は本縫い系又は環縫い系のいずれかで行うことを特徴とする。
請求項３記載の発明にあっては、請求項１記載の下げ札取付方法であって、運針数を３cm間で１２〜２０針としたことを特徴とする。
請求項４記載の発明にあっては、請求項１記載の下げ札取付方法であって、水溶性繊維糸は、ポリビニルアルコール系，カルボキシメチルセルロース等のセルロース系，ポリアルキレンオキサイド系水溶性繊維からなるものであること特徴とする。
【発明の効果】
【０００９】
肌着等の衣料品において、その製品の品番，素材等の情報を使用者に知らせる為に、ラベル，タグ等の下げ札を製品に縫着しなければならないが、使用時には下げ札を取り外さなければならない。本発明では、下げ札を水溶性繊維糸で衣料品に縫着してあるため、下げ札を取り去る際には、衣料品を洗濯するなどして水溶性繊維糸を溶かすことによって全く衣料品の生地を傷めるようなことが無く下げ札を取り容易に除く事が出来る。  
【００１０】
本発明にあっては、衣料品への下げ札縫い付け時に運針数を３cm間で１２〜２０針としたために、衣料品使用前の環境時にはみだりに縫着部で引きちぎれるような事態は生じないが、該部に力を加えて切断しようとすると容易にきれいに切断することが出来る。
【図面の簡単な説明】
【００１１】
【図１】本発明を実施したショーツの正面図。
【図２】ショーツへ、下げ札を縫付けた部分の断面図。
【発明を実施するための形態】
【００１２】
本発明を実施した衣料につき図と共に次に説明する。
図１はショーツ１に本発明を実施した例を示すものであって、縦長の帯状の下げ札２の頂部３付近をショーツ１のウエストバンド部４に当てがい、下げ札２の頂辺５に添ってウエストバンド部４の延在する方向に、下げ札２とショーツ１を重ね合わせて、縫い糸６によって縫い合わせる。
【００１３】
下げ札２は、商品の名称，品番，素材，取り扱いに係る注意事項，価格等、その商品についての情報が記載されており、商品購入者は当該商品の使用前後に下げ札２を取り除くが、取り除き作業は、縫目７部分で札を破り取り、更には前記縫糸６に水溶性繊維糸を用いることによって後日の洗濯等により縫糸６を溶解除去し縫糸６と共に下げ札の残部も取り去るようにしている。下げ札２は、前記取り除き操作の際、縫目７部分において切断除去し易いように、紙，フィルム等素材は問わないが、簡単に破り取ることの出来る強度のものが望ましい。
上記下げ札２のショーツ１への縫着は、本縫い系，環縫い系等、特に制限されない。
【００１４】
本発明方法において、下げ札２のショーツ１への取付け時に使用する縫い糸６は水溶性糸とする。水溶性糸は、ポリビニルアルコール系水溶性繊維，カルボキシメチルセルロース等のセルロース系水溶性繊維，ポリアルキレンオキサイド系水溶性繊維等から任意に選択使用出来る。また糸は短繊維からなる紡績糸，長繊維からなるマルチフィラメント糸，ウーリー糸等適宜使用出来る。
【００１５】
上記水溶性糸を用いて下げ札２をショーツ１等に縫い付けるが、本縫いの場合、上糸・下糸（表面側（上）縫糸６ａ・内面側（下）縫糸６ｂ）の双方又はいずれか一方の糸を水溶性糸とする。
その一例を、いずれか一方の糸の張力を変えて縫着した状態を説明する。
例えば、図２に示すように縫目７の表面側に位置する糸６ａと内面側に位置する糸６ｂの張力を異ならせ、内面側の縫糸６ｂの張力を大にして本縫いの縫製を行えば、図２に示すように内面側の糸６ｂは、ほぼ直線状に延在するが、表面側の糸６ａは張力が少で各縫目ごとに大きくループ６ｃを作り表面側から裏面側にまでループ６ｃが達する縫目となる。
【００１６】
この状態のループ６ｃ構成のもとで、一方の糸、例えば縫糸６ｂを水溶性繊維糸とし、水に溶解させれば各ループ６ｃは解放され下げ札は容易に取り外すことが出来る。
【００１７】
下げ札２の取り付けは、縫着時にミシン針による下げ札２の孔明け作業も行うことになる。即ち、切断用のミシン目を入れる作業と同じことを行うことになる。基準間隔内の針数（運針数）が多い程、その部分を引き裂く際容易に分轄出来ることになるが製品を傷める原因ともなる。
【００１８】
本発明における下げ札２縫着時の運針数も重要で本発明の下げ札の縫着では、３cm間に１２〜２０針が好ましく、１２針以下では穴数が少なくミシン目としての効果がなく札を破り難く、２０針以上では縫目により製品を傷つけることになる欠点が生ずる。
【００１９】
本発明方法により取り付けられた下げ札２は、ショーツ等衣料の使用前に破り取り、着用後衣料を洗濯機等に入れ２０℃±４℃程度の温度で水洗いすることで縫糸６は溶解し、下げ札２の残滓等は容易に取り去ることが可能となる。
【００２０】
以上、上糸と下糸共に水溶性糸を使用した場合、上糸又は下糸のいずれかに水溶性糸を使用した場合、非水溶性の糸のみを使用した場合のそれぞれのケースで運針の条件を変化させた際のタグ取り外しの状況及び糸の残存の有無を調べた表を示す。
【００２１】
【表１】
2011237500.tif 000003
【００２２】
表１によると、比較例１，２は共に運針が８針／３cm間隔で、タグ取り外しにおいて、切れ端が残り、運針間隔が広過ぎていることが明らかとなり、実施例１〜４では運針間隔が１２針〜１８針／３cmとしてタグ取り外しに悪影響はないことが明らかである。
また、実施例３，４は、スパン糸と水溶性ビニロンとを上糸又は下糸に使用した例であるが、スパン糸を使用した上糸又は下糸が残るが取り去ることが出来る状態で、下げ札の除去には影響がないことが明らかとなる。  
【符号の説明】
【００２３】
１  ショーツ    
２  下げ札  
３  頂部  
４  ウエストバンド部  
５  頂辺
６  縫糸
６ａ  表面側縫糸  
６ｂ  内面側縫糸
６ｃ  ループ
７  縫目 
【図１】
2011237500.tif 000004
【図２】
2011237500.tif 000005